(57)【特許請求の範囲】
【請求項１】
ノード間の接続状態に応じて自動的に物理アドレスが割り当てられるように構成された通信システムの制御方法において、
各ノードは、自己及び他ノードの物理アドレスと論理アドレスとを対応づけて保持するようになし、バスリセットが発生したときは、各ノードは、バスリセット発生前の自己の物理アドレスと論理アドレスを保持し、他ノードに各々の物理アドレスと論理アドレスを要求する要求コマンドを送信し、前記他ノードから前記各々の物理アドレスと論理アドレスを受信し、前記自己の論理アドレスと前記他ノードの論理アドレスとが同じである場合には、各ノードの物理アドレスに基づき新たな論理アドレスを割り当て、自己及び他ノードの物理アドレスと論理アドレスとを再度、対応づけて保持し、前記新たな論理アドレスに基づきノード間の通信制御を行うようになし、
各ノードは通信対応情報を有し、他ノードは前記通信対応情報を読み出すことにより、各ノードがオーディオビデオコマンドに対応しているか否かを判断し、前記各ノードは、前記オーディオビデオコマンドに対応していると判断された他ノードに各々の物理アドレスと論理アドレスを要求する要求コマンドを送信し、前記他ノードから前記各々の物理アドレスと論理アドレスを受信するようになすことを特徴とする通信システムの制御方法。
【請求項２】
ノード間の接続状態に応じて自動的に物理アドレスが割り当てられるように構成された通信システムに用いる通信機器において、
各ノードは、自己及び他ノードの物理アドレスと論理アドレスとを対応づけて保持する保持手段と、他ノードに各々の物理アドレスと論理アドレスを要求する要求コマンドを送信する送信手段と、前記他ノードから前記各々の物理アドレスと論理アドレスを受信する受信手段と、前記論理アドレスに基づきノード間の通信制御を行う通信制御手段とを有し、
バスリセットが発生したときは、各ノードは、バスリセット発生前の自己の物理アドレスと論理アドレスを前記保持手段に保持し、他ノードに各々の物理アドレスと論理アドレスを要求する要求コマンドを前記送信手段により送信し、前記他ノードから前記各々の物理アドレスと論理アドレスを前記受信手段により受信し、前記自己の論理アドレスと前記他ノードの論理アドレスとが同じである場合には、各ノードの物理アドレスに基づき新たな論理アドレスを割り当て、自己及び他ノードの物理アドレスと論理アドレスとを再度、対応づけて前記保持手段に保持し、前記新たな論理アドレスに基づきノード間の通信制御を前記通信制御手段により行い、
各ノードは通信対応情報を有し、他ノードは前記通信対応情報を読み出すことにより、各ノードがオーディオビデオコマンドに対応しているか否かを判断し、前記オーディオビデオコマンドに対応していると判断された他ノードに各々の物理アドレスと論理アドレスを要求する要求コマンドを前記送信手段により送信し、前記他ノードから前記各々の物理アドレスと論理アドレスを前記受信手段により受信するようになすことを特徴とする通信機器。
【発明の詳細な説明】
【０００１】
【発明の属する技術分野】
本発明は、ディジタルＶＴＲ、テレビジョン受像機（以下、ＴＶと略す）、チューナー等のＡＶ機器をバスに接続し、これらの間でディジタルビデオ信号、ディジタルオーディオ信号等を送受信する通信システムの制御方法及び通信機器に関するものである。
【０００２】
【従来の技術】
ディジタルＶＴＲ、ＴＶ、チューナー等のＡＶ機器やパソコン等をＩＥＥＥＰ１３９４バス（以下、Ｐ１３９４バスという）に接続し、これらの機器間でディジタルビデオ信号、ディジタルオーディオ信号等を送受信する通信システムが考えられている。
【０００３】
図１６はこのような通信システムの１例を示す図である。この通信システムは、ルート（根）ノードＡ、リーフ（葉）ノードＢ、ブランチ（枝）ノードＣ、リーフノードＤ、リーフノードＥを備えている。そして、ノードＡ−Ｂ間、Ａ−Ｃ間、Ｃ−Ｄ間及びＣ−Ｅ間の入出力ポートは、２組のツイストペアケーブルにより接続されている。ノードＡ〜Ｂは、前記したように、ディジタルＶＴＲ、ＴＶ、チューナー、パソコン等であり、各々１個以上の入出力ポートを持っている。各ノードにはアンプと中継器が内蔵されているので、図１６の通信システムは、図１７に示されているような各ノードがバスに接続されている通信システムと等価である。
【０００４】
図１６においては、ノードＡの下位にノードＢとノードＣが接続され、さらにノードＣの下位にノードＤとノードＥが接続された階層構造になっている。別の言い方をすれば、ノードＡがノードＢ及びＣの親ノードであり、ノードＣがノードＤ及びノードＥの親ノードである。まず、この階層構造を決定する手順について説明する。
【０００５】
ノードＡ−Ｂ間、Ａ−Ｃ間、Ｃ−Ｄ間及びＣ−Ｅ間をケーブルで接続すると、１個の入出力ポートのみが他のノードと接続されているノードは、自分と接続されているノードに対して、相手が親ノードである旨を伝達する。図１４の場合、ノードＤ及びＥがノードＣに対して、ノードＣが親ノードである旨を伝達し、ノードＢはノードＡに対して、ノードＡが親ノードである旨を伝達する。
【０００６】
また、複数個の入出力ポートが他のノードと接続されているノードは、自分に対して親ノードである旨を伝達してきたノード以外のノードに対して、相手が親ノードである旨を伝達する。図１６の場合、ノードＣがノードＡに対して、ノードＡが親ノードである旨を伝達し、ノードＡがノードＣに対して、ノードＣが親ノードである旨を伝達する。この時、ノードＡとノードＣの間では、互いに相手ノードが親ノードである旨を伝達することになるので、先に親ノードである旨を伝達されてしまったノードが親ノードとなる。図１６はノードＡが親ノードとなった場合を示している。
【０００７】
次に、各ノードに物理アドレスを付与する手順について説明する。ノードの物理アドレスは、基本的には親ノードが子ノードに対してアドレスの付与を許可することにより行う。子ノードが複数ある場合には、例えば、ポート番号の若い方に接続されている子ノードから順に許可をする。
【０００８】
図１６において、ノードＡのポート▲１▼にノードＢが接続され、ポート▲２▼にノードＣが接続されている場合、ノードＡはノードＢに対して、アドレスの付与を許可する。ノードＢは自分にノードＩＤ＃０を付与し、自分にノードＩＤ＃０を付与しことを示すデータをバスに送出する。次に、ノードＡはノードＣに対してアドレスの決定を許可する。ノードＣは、ポート▲１▼に接続されているノードＤに対してアドレスの付与を許可する。ノードＤは自分にノードＩＤ＃１を付与する。次に、ノードＣは、ポート▲２▼に接続されているノードＥに対してアドレスの付与を許可する。ノードＥは自分にノードＩＤ＃２を付与する。ノードＣは子ノードＤ及びＥのアドレス付与が終了したら、自分にノードＩＤ＃３を付与する。ノードＡは子ノードＢ及びＣのアドレス付与が終了したら、自分にノードＩＤ＃４を付与する。
【０００９】
この通信システムでは、図１８に示されているように、所定の周期（例、１２５μｓ）を有する通信サイクルで通信が行われる。通信サイクルの始めにはサイクルスタートパケットｃｓｐがあり、それに続いて同期通信のためのパケットを送信する期間が設定される。同期通信を行うパケットそれぞれにチャンネル番号１，２，3 ，・・・Ｎを付けることにより、複数の同期通信を行うことが可能である。例えば、ノードＢからノードＣに対する通信にチャンネル１が割り付けられているとすると、ノードＢはサイクルスタートパケットｃｓｐの直後にチャンネル番号１を付けた同期通信パケットを送信し、ノードＣはバスを監視し、チャンネル番号１が付いた同期通信パケットを取り込むことで通信が行われる。同様に、チャンネル２は、例えばノードＤからノードＡに対する通信に割り付けることができる。また、１つのチャンネルのパケットを複数のノードが受信することもできる。
【００１０】
複数の同期通信が行われる時は、サイクルスタートパケットｃｓｐの直後に、複数のチャンネルの同期通信パケットの送信が試みられるが、その場合はバスによって決まっている調停手段（例、ＣＳＭＡ／ＣＤ）により、まず１つのチャンネルの同期通信パケットが送信され、引き続き他のチャンネルの同期通信パケットが順次送信される。
【００１１】
そして、すべてのチャンネルの同期通信パケットの送信が終了した後、次のサイクルスタートパケットｃｓｐまでの期間が非同期通信に使用される。非同期通信パケット（図１８ではパケットＡ，Ｂ）には送信ノード及び受信ノードのアドレスが付いており、各ノードは自分のアドレスが付いたパケットを取り込む。
【００１２】
以上説明したように、この通信システムでは、ディジタルビデオ信号のように一定のデータレートで連続的に通信を行う同期通信と、制御コマンドなどを必要に応じて不定期に伝送する非同期通信の両方を行うことができる。なお、以上の通信の詳細や各ノードへのアドレスの自動割り付け方法については、「ＩＥＥＥＰ１３９４シリアルバスの仕様書」として公開されているので、ここではこれ以上説明しない。
【００１３】
【発明が解決しようとする課題】
しかしながら、以上のように構成された通信システムにおいて、＃０〜＃４のような物理アドレスではなく、第１のディジタルＶＴＲ（以下、ＶＴＲ１という）、第２のディジタルＶＴＲ（以下、ＶＴＲ２という）、第１のＴＶ（以下、ＴＶ１という）等のような商品カテゴリーを含めた論理アドレスを付与することはできない。
【００１４】
そして、通信システム内のノードに対して商品カテゴリーを含めたアドレッシングを行うことのできるシステムとしては、Ｄ２Ｂ（Ｄｏｍｅｓｔｉｃ Ｄｉｇｉｔａｌ Ｂｕｓ）がある。
【００１５】
Ｄ２Ｂにおいては、各ノードは、例えばＴＶであれば１０番台のアドレス、ディジタルＶＴＲであれば２０番台のアドレスを割り付けることを自分から宣言するように構成されている。そして、通信システムにリセットがかかった場合には、論理アドレスの割り付けは早い者勝ちで行われる。例えばＶＴＲ１はバス上に論理アドレス２０のノードがあるかどうかを問い合わせるコマンドを送信し、応答がなければ自分に論理アドレス２０を割り付け、応答があれば次に論理アドレス２１のノードがあるかどうかを問い合わせるコマンドを送信して同様に処理する。そして、複数のノードが同時に宣言しようとした場合には、ランダム時間待った後、再度宣言する。このため、電源コンセントを抜いて通信システムにリセットがかかった場合のようにノード間の物理的接続状態が変化しない場合でも、各ノードにリセット前と同じ論理アドレスが付与されるという保証はなかった。
【００１６】
また、Ｄ２Ｂにおいては、各ノードはバスにどのような商品カテゴリーのノードが何台接続されているかを把握していなかった。そのため、例えば論理アドレス２０のディジタルＶＴＲが他のディジタルＶＴＲにコマンドを送信する場合には、相手から返答があるまで、順次論理アドレスを２１から１ずつインクリメントしたコマンドを送信することが必要であった。
【００１７】
そこで、本発明は、このような問題点を解決するためになされたものであって、ノード間の接続状態に応じて各ノードに自動的に物理アドレスが割り付けられるように構成された通信システムにおいて、バスにどのような論理アドレスのノードが何台接続されているかを各ノードが把握できるようにすることを目的とする。
【００１８】
前記課題を解決するために、本発明は、ノード間の接続状態に応じて自動的に物理アドレスが割り当てられるように構成された通信システムの制御方法において、各ノードは、自己及び他ノードの物理アドレスと論理アドレスとを対応づけて保持するようになし、バスリセットが発生したときは、各ノードは、バスリセット発生前の自己の物理アドレスと論理アドレスを保持し、他ノードに各々の物理アドレスと論理アドレスを要求する要求コマンドを送信し、前記他ノードから前記各々の物理アドレスと論理アドレスを受信し、前記自己の論理アドレスと前記他ノードの論理アドレスとが同じである場合には、各ノードの物理アドレスに基づき新たな論理アドレスを割り当て、自己及び他ノードの物理アドレスと論理アドレスとを再度、対応づけて保持し、前記新たな論理アドレスに基づきノード間の通信制御を行うようになし、各ノードは通信対応情報を有し、他ノードは前記通信対応情報を読み出すことにより、各ノードがオーディオビデオコマンドに対応しているか否かを判断し、前記各ノードは、前記オーディオビデオコマンドに対応していると判断された他ノードに各々の物理アドレスと論理アドレスを要求する要求コマンドを送信し、前記他ノードから前記各々の物理アドレスと論理アドレスを受信するようになすことを特徴とする。
【００１９】
また、本発明は、ノード間の接続状態に応じて自動的に物理アドレスが割り当てられるように構成された通信システムに用いる通信機器において、各ノードは、自己及び他ノードの物理アドレスと論理アドレスとを対応づけて保持する保持手段と、他ノードに各々の物理アドレスと論理アドレスを要求する要求コマンドを送信する送信手段と、前記他ノードから前記各々の物理アドレスと論理アドレスを受信する受信手段と、前記論理アドレスに基づきノード間の通信制御を行う通信制御手段とを有し、バスリセットが発生したときは、各ノードは、バスリセット発生前の自己の物理アドレスと論理アドレスを前記保持手段に保持し、他ノードに各々の物理アドレスと論理アドレスを要求する要求コマンドを前記送信手段により送信し、前記他ノードから前記各々の物理アドレスと論理アドレスを前記受信手段により受信し、前記自己の論理アドレスと前記他ノードの論理アドレスとが同じである場合には、各ノードの物理アドレスに基づき新たな論理アドレスを割り当て、自己及び他ノードの物理アドレスと論理アドレスとを再度、対応づけて前記保持手段に保持し、前記新たな論理アドレスに基づきノード間の通信制御を前記通信制御手段により行い、各ノードは通信対応情報を有し、他ノードは前記通信対応情報を読み出すことにより、各ノードがオーディオビデオコマンドに対応しているか否かを判断し、前記オーディオビデオコマンドに対応していると判断された他ノードに各々の物理アドレスと論理アドレスを要求する要求コマンドを前記送信手段により送信し、前記他ノードから前記各々の物理アドレスと論理アドレスを前記受信手段により受信するようになすことを特徴とする。
【００２２】
【発明の実施の形態】
以下、本発明の実施の形態について図面を参照しながら、下記〔１〕〜〔４〕の順に詳細に説明する。
【００２３】
〔１〕通信システムの基本構成
〔２〕通信システムにノードを追加した場合
〔３〕複数の通信システムを結合した場合
〔４〕論理アドレスを基にした機器の制御
〔１〕通信システムの基本構成
図１は本発明においてノードとなる通信機器の１例であるディジタルＶＴＲの基本構成を示すブロック図であって、図１（ａ）はハードの構成を示し、図１（ｂ）はアドレッシングに関する構成を示す。
【００２４】
図１（ａ）に示されているディジタルＶＴＲは、ＶＴＲとしての基本的ブロックであるデッキ部１とチューナー部２に加えて、Ｐ１３９４バスに対するディジタルインターフェース（以下、ディジタルＩ／Ｆという）３、デッキ部１，チューナー部２，ディジタルＩ／Ｆ３間の信号の切替えを行うスイッチングボックス４及びシステムコントロールを行うマイコン５を備えている。
【００２５】
図１（ｂ）に示されているように、このディジタルＶＴＲはアドレステーブル４を持っている。このアドレステーブル６はマイコン５のＲＡＭ（図示せず）の一部を用いており、このディジタルＶＴＲ及びＰ１３９４バスに接続されている他のノードの物理アドレスや商品カテゴリーを含めた論理アドレス等を記憶する。アドレステーブル６の内容はアドレッシングプログラム７により読み書きされる。また、アドレシングプログラム７はディジタルＩ／Ｆを介して、Ｐ１３９４バスに接続されている他のノードに対するアドレスの問い合わせ、返答コマンドの送受信、自己ノードの物理アドレスや論理アドレスの確認を行う。
【００２６】
なお、通信機器がＴＶの場合には、デッキ部１の代わりにモニター部とアンプ部を設ける。また、通信機器に通信制御専用のマイコンを設け、これにアドレステーブルを設けてもよい。
【００２７】
図２は前記ディジタルＩ／Ｆにおけるパケットの構成の１例を示す図である。このパケットは、送信先ＩＤ、発信元ＩＤ、ディジタルＩ／Ｆマスターアドレス、ディジタルＩ／Ｆスレーブアドレス及びコマンド等から構成されている。送信先ＩＤは、送信先のＰ１３９４バス上の物理アドレスであり、発信元ＩＤは、発信元のＰ１３９４バス上の物理アドレスである。また、ディジタルＩ／Ｆマスターアドレスは、発信元のディジタルＩ／Ｆ上の論理アドレスであり、ディジタルＩ／Ｆスレーブアドレスは、送信先のディジタルＩ／Ｆ上の論理アドレスである。そして、送信コマンド等は、送信先に論理アドレスを問い合わせるコマンドや論理アドレスの問い合わせに対する返答である。
【００２８】
〔２〕通信システムにノードを追加した場合
図３は本発明を適用した通信システムの１例を示す図であって、図３（ａ）は当初のシステムであり、図３（ｂ）は図３（ａ）にディジタルＶＴＲを１台追加したシステムである。
【００２９】
まず、図３（ａ）の通信システムは、ノードとして第１のパソコン（以下、ＰＣ１という）、ＴＶ１、ＶＴＲ１及びＶＴＲ２を持っており、それらがＰ１３９４バスに接続されている。各ノードには図のような＃０〜＃３のノードＩＤが割り付けられているものとする。また、ＰＣ１以外の各ノード、すなわちＡＶ機器には、図示されているような商品カテゴリーを含めた論理アドレスとして商品カテゴリー別番号ＴＶ１，ＶＴＲ１，ＶＴＲ２が割り付けられているものとする（割り付けの手順は後述する）。
【００３０】
この時、ＴＶ１、ＶＴＲ１及びＶＴＲ２のアドレステーブルには、図４（ａ）に示されている内容が記憶されている。ここで、ノードＩＤは前記した各ノードの物理アドレスである。また、ディジタルＩ／Ｆ対応とは各ノードがこの通信システム内でビデオデータやオーディオデータの送受信を行うＡＶ機器であるかどうかを示すデータである。Ｐ１３９４バスに対応するＡＶ機器には、あらかじめＲＯＭのＩＤエリアのＶｅｎｄｏｒ ＩｄにＡＶ機器の発売元と商品名が書き込まれているので、Ｐ１３９４バスのリードパケットでそれを読み出すことによりディジタルＩ／Ｆ対応かどうかを識別する。さらに、カテゴリＮｏ．は商品カテゴリー別番号である。
【００３１】
次に、この状態からＶＴＲ２に他のディジタルＶＴＲを接続した状態（図３（ｂ））について考える。この時、バスにはリセットがかかり、各ノードには、図３（ｂ）に示されているノードＩＤ＃０〜＃４が自動的に割り付けられる。また、各ノードがディジタルＩ／Ｆ対応かどうかを示すデータと商品カテゴリー別番号は自分のデータのみ保持され、他のノードのデータはクリアされる。したがって、バスにリセットがかかり、物理アドレスが自動的に割り付けられて時点では、ノードＩＤ＝＃１、すなわちリセット前のＶＴＲ１のアドレステーブルの内容は図４（ｂ）のようになっている。なお、この実施例とは直接関係ないが、通信システムから外された場合には、図４（ｃ）のように、自分のノードＩＤは＃０になり、カテゴリＮｏ．は商品カテゴリーのみ保持する。
【００３２】
次に、各ノードには結果的に図３（ｂ）に示されている商品カテゴリ別ー番号が割り付けられるのであるが、以下に割り付けの手順を説明する。なお、各ノードはバスリセット後、それぞれ独自に以下に示す論理アドレスの割り付け手順を実行するが、ここでは１例としてリセット前のＶＴＲ１の動作を説明する。
【００３３】
まず、ＶＴＲ１は前記したＶｅｎｄｏｒ Ｉｄを読み出すことにより各ノードがディジタルＩ／Ｆ対応かどうかを識別し、ディジタルＩ／Ｆ対応の全ノードに対して論理アドレスを問い合わせるコマンドを持つパケットを送信する。図３（ｂ）のノードＩＤが＃４のノードに送信するパケットは図５（ａ）のようになる。ここで、送信先の論理アドレスはまだわかっていないので、同報通信（ｂｒｏａｄｃａｓｔ）とする。この問い合わせパケットに対して、ノードＩＤが＃４のノードは図５（ｂ）に示されている返答パケットを送信する。同様にして、ＶＴＲ１はノードＩＤが＃２のノード及び＃３のノードに対しても論理アドレスを問い合わせるパケットを送信する。ＶＴＲ１は各ノードから返答された論理アドレスが想定された論理アドレスと等しければ、この論理アドレスを相手の論理アドレスとして確定する。
【００３４】
以上の手順により、ＶＴＲ１はディジタルＩ／Ｆ対応の各ノードの論理アドレスを知ることができるが、まだ論理アドレスが割り付けられていないノードからはカテゴリー別アドレス未定コードが返送される。図６はこのようにして調べた各ノードのアドレスを書き込んだアドレステーブルの内容を示す。ここでは、ノードＩＤが＃２のノードからはカテゴリー別アドレス未定コードが返送されてきた場合を示す。
【００３５】
次に、ノードＩＤが＃２のノードが自分の論理アドレスを割り付ける手順について説明する。ノードＩＤが＃2 のノードも前記ＶＴＲ１と同じ手順で、他のノードがディジタルＩ／Ｆ対応かどうか識別し、ディジタルＩ／Ｆ対応の全ノードに対して論理アドレスの問い合わせを行う。そして、自分のアドレスが未定の場合、同じ商品カテゴリー内の空き番号の小さい順に割り付けていく。ただし、自分よりもノードＩＤの小さいノードで、同じ商品カテゴリーでアドレスが未定のノードがあったなら、ノードＩＤが小さい順に論理アドレスが割り付けられると想定し、自分のアドレスを決定する。したたがって、他のノードの論理アドレスを問い合わせた結果、図７のようであれば、自分にＶＴＲ３を割り付ける。
【００３６】
〔３〕複数の通信システムを結合した場合
次に、図８（ａ）のようなノードアドレスと論理アドレスが割り付けられている２個の通信システムを図８（ｂ）のように結合した場合の論理アドレスの割り付けの手順について説明する。
【００３７】
バスにリセットがかかると、図８（ｂ）に示されているノードアドレスが自動的に割り付けられる。この時、前記したように、各ノードは基本的には自分の論理アドレスを保持している。ただし、システム内に自分と同じ論理アドレスであることを返答してきたノードが存在する場合には、自分のノードＩＤが一番小さいかどうかを判断する。そして、ノードＩＤが一番小さいノードにその論理アドレスを割り付け、他のノードは番号未定として割り付け直す。
【００３８】
例えば、図８（ｂ）において、ノードＩＤが＃３のノードとノードＩＤが＃１のノードは、共にリセット後に商品カテゴリー別番号としてＶＴＲ１を保持しているので、ノードＩＤが＃１のノードがその商品カテゴリー別番号を自分の論理アドレスとして確定し、ノードＩＤが＃３のノードはその商品カテゴリー別番号をクリアし、同じ商品カテゴリーの空き番号の若い順に割り付ける。
【００３９】
したがって、ノードＩＤが＃３のノードのアドレステーブルの内容は、図９（ａ）のようにノードＩＤが＃１のノードから返答された商品カテゴリー別番号を有効とし、自分にはＶＴＲ３を割り付ける。もし、各ノードの論理アドレスを問い合わせた時点で、図９（ｂ）のようにノードＩＤが＃１のノードからカテゴリー別アドレス未定コードが返送されてきており、かつ自分の商品カテゴリー別番号としてＶＴＲ２が保持されていたなら、図９（ｃ）のように自分よりもノードアドレスの小さい＃２のノードの商品カテゴリ別ー番号であるＶＴＲ２を有効とし、かつ自分よりもノードアドレスの小さい＃１のノードにＶＴＲ１が割り付けられると想定して、自分にＶＴＲ３を割り付ける。この結果、いずれにしても図８（ｂ）に示されている商品カテゴリー別番号が割り付けられる。
【００４０】
以上説明した手順のフローチャートを図１０〜図１３に示す。図１０及び図１１は自分のノードの論理アドレスを決定する手順であり、図１２及び図１３は他のノードの論理アドレスを確定する手順である。
【００４１】
〔４〕論理アドレスを基にした機器の制御
次に、このように定められた論理アドレスを基にシステム内機器の制御を行う例を説明する。図１４（ａ）に示されている通信システムにおいて、ＣＯＮＴ１をＡＶコントローラとし、ＶＴＲ１を再生機、ＶＴＲ３を録画機として編集制御を行っている途中で、ＶＴＲ２をシステムから外した場合を考える。
【００４２】
まず、図１４（ａ）の状態で編集を開始すると、ＡＶコントローラがＶＴＲ１及びＶＴＲ３へ送信するパケットは、それぞれ図１５（ａ），（ｂ）に示されているものとなる。編集の途中でＶＴＲ２がバスから抜かれると、バスにリセットがかかり、図１４（ｂ）のようにノードＩＤの割り付けが行われる。この結果、ＶＴＲ３のノードＩＤは変化してしまうが、これまでの説明から明らかなように論理アドレスは変化しないので、ノードＩＤとの対応を調べさえすれば編集動作が影響を受けることはない。編集を終了し、再生機及び録画機を停止させる場合のパケットは図１５（ｃ），（ｄ）のようになる。図１４（ｂ）の状態で編集を開始し、編集途中でＶＴＲ２をバスに接続して図１４（ａ）の状態にした場合も同様に扱える。
【００４３】
このように、システムの末端の機器を抜き挿ししても論理アドレスは変化しない。また、その機器を何度抜き挿ししても、同じ論理アドレスが割り付けられる。
【００４４】
【発明の効果】
以上詳細に説明したように、本発明によれば下記の効果を奏する。
【００４５】
（１）通信システムにリセットがかかった時に自動的に元の論理アドレス、例えば商品カテゴリー別番号の割り付けを行うことができる。
【００４６】
（２）各ノードは通信システムにどのような論理アドレスのノードが何台接続されているかを把握できる。
【００４７】
（３）システム内のあるノードの抜き挿しを行ってリセットがかかり、物理アドレスが変わったとしても、他のノードの論理アドレスは変わらない。
【００４８】
（４）１つのノードの抜き挿しでは、挿される度にそのノードは同じ論理アドレスが割り付けられる。
【００４９】
（５）論理アドレスを基にシステム内のノードの制御を行うことにより、制御対象となっていないネットワークの末端のノードの抜き挿しがあったとしても、制御動作に影響を及ぼさない。
【００５０】
【図面の簡単な説明】
【図１】本発明においてノードとなる通信機器の基本構成の１例を示すブロック図である。
【図２】本発明のディジタルＩ／Ｆにおけるパケットの構成の１例を示す図である。
【図３】本発明を適用した通信システムの１例を示す図である。
【図４】図３の通信システムにおけるアドレステーブルの内容の例を示す図である。
【図５】図３の通信システムで用いるパケットの例を示す図である。
【図６】図３の通信システムにおいてノードＩＤが＃１のノードにおけるアドレステーブルの内容の１例を示す図である。
【図７】図３の通信システムにおいてノードＩＤが＃２のノードにおけるアドレステーブルの内容の１例を示す図である。
【図８】本発明を適用した通信システムの他の１例を示す図である。
【図９】図８の通信システムにおけるアドレステーブルの内容の例を示す図である。
【図１０】本発明において自分のノードの論理アドレスを決定する手順の一部を示すフローチャートである。
【図１１】本発明において自分のノードの論理アドレスを決定する手順の残りの一部を示すフローチャートである。
【図１２】本発明において他のノードの論理アドレスを確定する手順の一部を示すフローチャートである。
【図１３】本発明において他のノードの論理アドレスを確定する手順の残りの一部を示すフローチャートである。
【図１４】本発明の論理アドレスを基にシステム内機器の制御を行う通信システムの例を示す図である。
【図１５】図１４の通信システムにおいて用いるコマンドの例を示す図である。
【図１６】バスに接続されたＡＶ機器等の間でディジタルビデオ信号等を送受信する通信システムの１例を示す図である。
【図１７】図１６の通信システムを等価的に記載した図である。
【図１８】図１６の通信システムにおける通信サイクルの１例を示す図である。
【符号の説明】
３…ディジタルＩ／Ｆ、５…マイコン、６…アドレステーブル、７…アドレッシングプログラム
【図１】
0003659244.tif 000002
【図２】
0003659244.tif 000003
【図３】
0003659244.tif 000004
【図４】
0003659244.tif 000005
【図５】
0003659244.tif 000006
【図６】
0003659244.tif 000007
【図７】
0003659244.tif 000008
【図８】
0003659244.tif 000009
【図９】
0003659244.tif 000010
【図１０】
0003659244.tif 000011
【図１１】
0003659244.tif 000012
【図１２】
0003659244.tif 000013
【図１３】
0003659244.tif 000014
【図１４】
0003659244.tif 000015
【図１５】
0003659244.tif 000016
【図１６】
0003659244.tif 000017
【図１７】
0003659244.tif 000018
【図１８】
0003659244.tif 000019